(57)【特許請求の範囲】
【請求項１】
光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り装置を備えた光学像入力システムを具備するディジタルカメラの前記絞り装置において、
前記光学系の撮影光軸に対して平行に設定された回転中心軸を中心として回転可能に設けられ、且つ該回転中心から前記撮影光軸までの距離を半径とする基準円上にターレット型に配設された径の異なる複数個の絞り開口を有する絞り板と、
前記絞り板を一方向に回転させる爪部材と、
撮影光軸に対し正逆回転可能に設けられ、前記爪部材を一方向のみに回転可能として保持する回転リングと、
１個以上のギヤからなる連結ギヤ群およびモーターからなり、前記回転リングを回転駆動させる回転駆動手段と、
前記絞り板を選択された絞り開口位置で係止する位置決め機構と、
を具備し、
前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成したことを特徴とする絞り装置。
【請求項２】
前記回転リングに保持された爪部材は、
前記回転リングの所定方向への回転については、その先端部が該絞り板の張り出し部に係合するように、第１の方向の回転が前記回転リングにより規制され、最大回転位置において絞り設定を完了した後の該回転リングの前記所定方向とは逆方向の回転時には、前記第１の回転方向とは異なる第２の回転方向に回転し、前記絞り板の外周を乗り越えて、該絞り板を設定絞り位置に置き去りにする一方向ラチェット機構を構成することを特徴とする請求項１に記載の絞り装置。
【請求項３】
前記位置決め機構は、
前記絞り板の外周に前記各絞り開口位置に対応して形成された凹部と、
前記絞り板の略中心方向に向けて付勢され、前記凹部を押圧係止して位置決めする位置決め部材と
を含むことを特徴とする請求項１または２に記載の絞り装置。
【請求項４】
前記位置決め部材は、
前記撮影光軸に対して平行に設定された回転中心軸を中心として回転可能な位置決めレバーにより構成し、且つ前記位置決めレバーは、該位置決めレバーの回転軸から放射方向へ延設され前記絞り板を係止するボスを有する第１の張り出し部および前記絞り板の位置検出用の第２の張り出し部が設けられることを特徴とする請求項３に記載の絞り装置。
【請求項５】
前記絞り板は、各絞り開口位置に対応して外周に形成される凹部のうちの１個所の特定凹部の形状を他の個所と異ならしめ、前記位置決めレバーの前記ボスが該特定凹部に係合した際における回転角を位置検出用の前記第２の張り出し部の移動量により他の凹部と弁別し得るように設定して、前記複数の絞り開口のうちの特定の１個所を基準位置として検出可能としたことを特徴とする請求項４記載のディジタルカメラ用絞り装置。
【請求項６】
前記絞り板の第２の張り出し部による基準位置の検出に、光学センサを用いることを特徴とする請求項５に記載の絞り装置。
【請求項７】
前記絞り板の外周の凹部は、任意の絞り設定位置直前において、前記位置決めレバーの前記ボスが該絞り板の最外周から中心に向かって落下し、且つ該絞り板の所定の回転方向とは逆方向の回転に対して、それを阻止するような形状とするとともに、該凹部の最も中心寄り部分は前記ボスの該絞り板の中心に向かう付勢力のバランスを取るため、前記絞り板の中心と前記ボスの中心を結ぶ直線に対して対称に且つ前記絞り板の中心からほぼ放射方向に広がる形状として形成することを特徴とする請求項４〜６のうちのいずれか１項に記載の絞り装置。
【請求項８】
光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り機能を有するシャッター装置を備えた光学像入力システムを具備するディジタルカメラの前記シャッター装置において、
前記光学系の撮影光軸に対して平行に設定された回転中心軸を中心として回転可能に設けられ、且つ該回転中心から前記撮影光軸までの距離を半径とする基準円上にターレット型に配設された径の異なる複数個の絞り開口を有する絞り板と、
前記絞り板を一方向に回転させる爪部材と、
撮影光軸に対し正逆回転可能に設けられ、前記爪部材を一方向のみに回転可能として保持する回転リングと、
１個以上のギヤからなる連結ギヤ群およびモーターからなり、前記回転リングを回転駆動させる回転駆動手段と、
前記絞り板を選択された絞り開口位置で係止する位置決め機構と、
遮光用のシャッター羽根を有し、前記回転リングの初期状態からの前記絞り板を設定する方向への回転途中にて、前記遮光用のシャッター羽根を閉成状態から開放状態に設定し、且つ前記絞り開口の設定完了後、前記初期状態位置に戻る逆方向の回転の途中にて、該遮光用のシャッター羽根を閉成せしめるシャッター機構と、
を具備し、
前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成したことを特徴とするシャッター装置。
【請求項９】
前記回転リングは、前記爪部材を保持する部材と、前記シャッター機構の前記シャッター羽根の開閉を制御する部材とを一体的に形成していることを特徴とする請求項８に記載のシャッター装置。
【請求項１０】
前記シャッター機構は、
前記シャッター羽根を閉成方向に駆動させるように付勢された開閉レバーと、  前記開閉レバーを開放状態で係止するように付勢された係止レバーとを含み、且つ
前記回転リングの初期位置からの回転により、前記回転リングによる前記開閉レバーの押し上げ−前記シャッター羽根の開放−前記係止レバーの落ち込み−前記回転リングの離脱−前記係止レバーによる前記開閉レバーの係止の一連の動作を行い、
また、初期位置ヘ戻る方向での回転により、前記回転リングによる前記係止レバーの蹴飛ばし−前記係止レバーによる前記開閉レバーの係止解除−前記開閉レバーの回転による前記シャッター羽根の閉成の一連の動作を行うことを特徴とする請求項８または９に記載のシャッター装置。
【請求項１１】
前記回転リングは、前記初期位置から前記最大回転位置までの間において、前半の領域に前記シャッター機構によるシャッター開閉動作を行うシャッター動作領域を設定し、後半の領域に絞り設定を行う絞り設定領域を設定しており、各領域においては互いに干渉のない動作をなすことを特徴とする請求項８〜１０のうちのいずれか１項に記載のシャッター装置。
【請求項１２】
前記シャッター動作領域内においてシャッター開閉動作を繰り返すべく、前記回転リングを駆動して、高速連写撮影を行う手段をさらに含むことを特徴とする請求項１１に記載のシャッター装置。
【請求項１３】
モニタリング時に、前記絞り設定動作領域内において絞り口径の大きさを可変させるべく、前記回転リングを駆動して、モニタリング時の光量の調整を行う手段をさらに含むことを特徴とする請求項１１または１２に記載のシャッター装置。
【請求項１４】
前記シャッター機構は、前記シャッター羽根を２枚含み、該２枚のシャッター羽根は、撮影光軸方向について前記絞り板を挟んで配置されることを特徴とする請求項８〜１３のうちのいずれか１項に記載のシャッター装置。
【請求項１５】
光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り機能を有するシャッター装置を備えた光学像入力システムを具備するディジタルカメラの前記シャッター装置において、
複数個の絞り開口を有する絞り板と、
前記絞り板とは別部材である遮光用のシャッター羽根と、
前記絞り板を一方向に回転させる爪部材と、
前記爪部材を保持する回転リングと、
前記回転リングを回転駆動させる回転駆動手段と、
前記絞り板を絞り開口位置で係止する位置決め機構を具備し、
前記回転リングは、一定回転角内にて、一方向への回転の初期の領域で前記シャッター羽根を開放状態に設定し、さらに続く後半の領域で、前記爪部材により前記絞り板を回転させ前記位置決め機構で前記絞り板を係止して絞り設定を行い、他方向の回転で前記シャッター羽根の閉成を行うように構成したことを特徴とするシャッター装置。
【請求項１６】
前記絞り設定を撮影者が意図した絞り値に設定後、当該絞り値、外界輝度、撮像素子のＩＳＯ感度に応じたシャッター速度で適正露出が得られるように構成したことを特徴とする請求項８〜１５のうちいずれか１項に記載のシャッター装置。
【請求項１７】
前記シャッター動作のシャッター速度を撮影者が意図したシャッター速度に設定後、当該シャッター速度、外界輝度、撮像素子のＩＳＯ感度に応じた絞り設定値で適正露出が得られるように構成したことを特徴とする請求項８〜１６のうちいずれか１項に記載のシャッター装置。
【発明の詳細な説明】
【０００１】
【発明の属する技術分野】
本発明は、カメラにおける絞り機構およびシャッタ機構に係り、特にディジタルビデオカメラおよびディジタルスティルカメラ等のように、ＣＣＤ（電荷結合素子）等を用いた固体撮像素子によって被写体光学像を電気信号に変換して撮影を行う電子カメラにおける静止画撮影時に好適な絞り装置およびシャッター装置に関するものである。
【０００２】
【従来の技術】
動画を撮像する、いわゆるビデオカメラにおいては、従来から、ＣＣＤ（電荷結合素子）を用いたＣＣＤ固体撮像素子等の固体撮像素子が撮像用受光素子として用いられている。さらに、近年、ディジタルカメラ等と称され、被写体像を、固体撮像素子により撮像し、被写体の静止画像（スティル画像）の画像データを得て、ＩＣ（集積回路）カードまたはビデオフロッピーディスク等にディジタル的に記録するタイプのディジタルスティルカメラの普及が著しい。このようなディジタルカメラの中には、静止画像のみならず動画像（ムービー画像）をも撮像することができるものもある。
【０００３】
固体撮像素子、例えばＣＣＤ固体撮像素子、における光電変換された画素の読み出し方式には、フィールド読み出しとフレーム読み出しとがあるが、静止画撮影の場合、解像度などの点で有利なフレーム読み出しを用いるケースが多くなりつつある。
フレーム読み出しにおいては、奇数フィールドの転送読み出しと偶数フィールド転送読み出しとを順次行わなければならず、読み出し中の露光が原因となるスミアなどの不具合現象を避けるために、通常は適正露光完了後直ちにＣＣＤ固体撮像素子ヘの物理的遮光が必要である。
【０００４】
また、いわゆる全画素読み出しタイプのＣＣＤ固体撮像素子においては、上述したような露光後の遮光が不要であるが、このような全画素読み出しタイプのＣＣＤ固体撮像素子は、製造上、高画素化が容易ではなく、高画素化における製造上の困難性等の点では、依然として物理的遮光が必要な、所謂インターレースタイプのＣＣＤ固体撮像素子が有利である。
上述したような現状において、フレーム読み出しにより露光完了後に遮光を行う場合の、ＬＣＤ（液晶ディスプレイ）のモニタ表示による電子ファインダおよびズームレンズを備えた電子カメラの静止画撮影における一般的なプロセスは、次の通りである。
（１）  カメラの電源をオンとする。
（２）  撮影モード、すなわち記録モードに設定する。
（３）  外界、特に被写界、の輝度を測光し、該測光値に応じて絞りが自動設定される。
（４）  例えばＬＣＤモニタ画面に、ＣＣＤ固体撮像素子でとらえられているスルー画像が表示される。
（５）  必要に応じてズーム位置を設定する。
（６）  構図を決めてレリーズボタンを押す。
（７）  ＡＦ（オートフォーカス）機構が作動し、撮影レンズを合焦位置に移動させる。
（８）  ＣＣＤ固体撮像素子ヘの露光が開始される。
（９）  適正時間後ＣＣＤ固体撮像素子ヘの露光を遮光する。
（１０）  ＣＣＤ固体撮像素子から、奇数フィールド転送および偶数フイールド転送による読み出しが行われる。
（１１）  ＣＣＤ固体撮像素子から読み出した画像情報に対し、信号処理手段により、適宜、表示および記録等の処理がなされる。
（１２）  次の撮影動作に入るか、または撮影を終了してカメラの電源を切るかする。
【０００５】
なお、ズームレンズでなく、単焦点レンズまたは固定焦点レンズを用いた場合、あるいはストロボ撮影時などにおいては、上述とは一部プロセスが異なる。しかしながら、いずれの場合においても、従来より、上述したものとおおむね同様のプロセスにおいて、絞りの設定と遮光という２つの異なる動作が必要とされ、いろいろな工夫がなされてきた。
例えば、特許第２６２２２９６号公報においては、複数の絞り開口と、各絞り開口それぞれに隣接する遮蔽部とを設けることにより、それぞれ絞り機能と遮光機能とを実現させている。
また、特開平７−１１１６１６号公報においては、複数の絞り開口を有するターレット式の絞り板と、該絞り板とは別途に設けた２枚構成の遮蔽板とを設置し、これら絞り板および遮蔽板の両者を連繋させることにより、特許第２６２２２９６号公報の場合とほぼ同様に、絞り機能と遮光機能とを実現させている。
【０００６】
【発明が解決しようとする課題】
上述したように、従来より、静止画撮影のプロセスにおいて絞りの設定および遮光という２つの別個の動作が必要とされ、特許第２６２２２９６号公報および特開平７−１１１６１６号公報等に示されるように、各別に機能する絞り開口と遮蔽部材とを設けて、絞り機能と遮光機能とを実現させている。
しかしながら、特許第２６２２２９６号公報では、複数の絞り開口を有する絞り板を単にスライドさせることによって、露光および遮光動作を行うため、露光中に選定した絞り開口径の絞り開口そのものが移動して遮光を行うという問題がある。
【０００７】
つまり、露光中に選択された開口径が、一般的には光軸中心から当該光学系の開放絞り径の周縁部のいずれかの端部に隠れるまで、露光動作は継続されるので、結果として得られる画像面に露出ムラが生じる。また、動きのある被写体を撮影した場合には、本来ならば、写し止められるシャッター速度（露光開始から遮光完了までの露光時間）を有していても、前記開口径の移動方向と被写体の移動方向によっては、像ぶれあるいは得られる被写体像の変形が生じるなど、好ましくない現象が生ずる。
【０００８】
さらに、遮蔽動作が一端から始まるため、特に、大きい絞り径を選定した場合には、遮光開始から遮光完了までの時間がかかり、結果としてシャッタースピードが遅く、露光時間が長くなったのと同様となり、手ぶれを生じ易いという問題も発生する。
また、特開平７−１１１６１６号公報においては、ターレット式の絞り板とは別途に２枚構成の遮蔽板を設置しているが、該遮蔽板を開閉させるための連繋部材および付勢スプリング等をさらに設ける必要があり、機構が複雑化してしまうという問題がある。
しかも、遮蔽板には、位置決めの手段が設けられていないため、ステッピングモーターによる位置決めにおけるステッピングモーター自身のステップ位置精度およびギヤの噛み合せのバックラッシュなどに起因して正確な絞り位置を設定することができない。
【０００９】
その上、ターレット式の絞り板により所望の絞り径を選定する際に、他の絞り径の絞り開口を通過するため、その都度、前記遮蔽板を開閉動作させてしまうという無駄な動作が行われ、機構の耐久性の劣化および不良の原因となるばかりでなく、機構の動作時に不快な機械音を発生してしまうという問題がある。
さらに、最近では、単独のモーターで絞り開口の設定を行ってから、シャッター動作を行うタイプの改良された構成も種々見受けられるが、一連の動作が一つのシーケンスとなつているため、絞り開口径の設定後に任意に絞り開口径を変更させることが容易でなく、絞り開口径の変更のために、再度最初からシーケンスを実行しなおすとか、不要なシャッター動作を伴ってしまうとかなど、動作上の弊害を生じる傾向があった。
【００１０】
本発明は、上述した事情に鑑みてなされたもので、確実な絞り性能および高い絞り精度を得ることができ、各機能を独立に且つ安定に作動させることが可能な絞り装置およびシャッター装置を提供することを目的としている。
特に、請求項１に記載の発明の目的は、確実な絞り性能および高い絞り精度を得ることができ、各種機能が独立して、動作の安定性も高い絞り装置を提供することにある。
【００１１】
請求項２に記載の発明の目的は、特に、絞り板の外形を小さくすることができ、カメラ全体の小型化を可能とする絞り装置を提供することにある。
請求項３に記載の発明の目的は、特に、簡単な構成で確実に位置決めすることが可能な絞り装置を提供することにある。
【００１２】
請求項４に記載の発明の目的は、特に、位置決め部材と位置検出部材が一体化され、シンプルで誤差の無い確実な位置検出が可能な絞り装置を提供することにある。
【００１３】
請求項５に記載の発明の目的は、特に、特定の絞り開口位置を確実に検出することができる絞り装置を提供することにある。
【００１４】
請求項６に記載の発明の目的は、特に、特定の絞り開口位置の高精度で且つ耐久性の高い検出が可能な絞り装置を提供することにある。
請求項７に記載の発明の目的は、特に、確実に絞り板を決められた位置に設定することを可能とする絞り装置を提供することにある。
請求項８に記載の発明の目的は、特に、絞り開口の設定とは別に、同一の回転リングにてシャッターの開閉を制御するので少ない部材で多機能、省スぺースおよび低コストを達成できるシャッター装置を提供することにある。
【００１５】
請求項９に記載の発明の目的は、特に、絞りの設定との関係において高精度の制御が可能なシャッター装置を提供することにある。
請求項１０に記載の発明の目的は、特に、単に回転リングの正逆転で一連の開閉動作を遂行でき、係止解除用アクチエータ等を要しないので、コスト、スぺースおよび信頼性に優れたシャッター装置を提供することにある。
請求項１１に記載の発明の目的は、特に、シャッターの開閉動作と絞り開口の設定動作とに干渉がなく、信頼性が高く、またそれぞれの調整も独立に行うことが可能なシャッター装置を提供することにある。
【００１６】
請求項１２に記載の発明の目的は、特に、高速連写を可能とし、撮影機能を拡大することができるシャッター装置を提供することにある。
請求項１３に記載の発明の目的は、特に、モニタリング時の光量の調整が可能であり、プログラム線図上の自由度が高く、従来散見された高輝度時のスミアなどの不具合を軽減することが可能なシャッター装置を提供することにある。
請求項１４に記載の発明の目的は、特に、互いに反対方向に移動するシャッター羽根同士の接触摩擦を低減してシャッター動作のばらつきを無くし、高露出精度の可変絞りを実現し得るシャッター装置を提供することにある。
請求項１５に記載の発明の目的は、特に、絞り開口の設定とは別に、同一の回転リングにてシャッターの開閉を制御するので少ない部材で多機能、省スペースおよび低コストを達成できるシャッター装置を提供することにある。
【００１７】
【課題を解決するための手段】
請求項１に記載した発明に係る絞り装置は、上述した目的を達成するために、
光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り装置を備えた光学像入力システムを具備するディジタルカメラの前記絞り装置において、
前記光学系の撮影光軸に対して平行に設定された回転中心軸を中心として回転可能に設けられ、且つ該回転中心から前記撮影光軸までの距離を半径とする基準円上にターレット型に配設された径の異なる複数個の絞り開口を有する絞り板と、
前記絞り板を一方向に回転させる爪部材と、
撮影光軸に対し正逆回転可能に設けられ、前記爪部材を一方向のみに回転可能として保持する回転リングと、
１個以上のギヤからなる連結ギヤ群およびモーターからなり、前記回転リングを回転駆動させる回転駆動手段と、
前記絞り板を選択された絞り開口位置で係止する位置決め機構と、
を具備し、
前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成したことを特徴としている。
【００１８】
請求項２に記載した発明に係る絞り装置は、
前記回転リングに保持された爪部材が、
前記回転リングの所定方向への回転については、その先端部が該絞り板の張り出し部に係合するように、第１の方向の回転が前記回転リングにより規制され、最大回転位置において絞り設定を完了した後の該回転リングの前記所定方向とは逆方向の回転時には、前記第１の回転方向とは異なる第２の回転方向に回転し、前記絞り板の外周を乗り越えて、該絞り板を設定絞り位置に置き去りにする一方向ラチェット機構を構成することを特徴としている。
【００１９】
請求項３に記載した発明に係る絞り装置は、
前記位置決め機構が、
前記絞り板の外周に前記各絞り開口位置に対応して形成された凹部と、
前記絞り板の略中心方向に向けて付勢され、前記凹部を押圧係止して位置決めする位置決め部材と
を含むことを特徴としている。
請求項４に記載した発明に係る絞り装置は、
前記位置決め部材が、
前記撮影光軸に対して平行に設定された回転中心軸を中心として回転可能な位置決めレバーにより構成し、且つ前記位置決めレバーは、該位置決めレバーの回転軸から放射方向へ延設され前記絞り板を係止するボスを有する第１の張り出し部および前記絞り板の位置検出用の第２の張り出し部が設けられることを特徴としている。
【００２０】
請求項５に記載した発明に係る絞り装置は、
前記絞り板が、各絞り開口位置に対応して外周に形成される凹部のうちの１個所の特定凹部の形状を他の個所と異ならしめ、前記位置決めレバーの前記ボスが該特定凹部に係合した際における回転角を位置検出用の前記第２の張り出し部の移動量により他の凹部と弁別し得るように設定して、前記複数の絞り開口のうちの特定の１個所を基準位置として検出可能としたことを特徴としている。
請求項６に記載した発明に係る絞り装置は、
前記絞り板の第２の張り出し部による基準位置の検出に、光学センサを用いることを特徴としている。
【００２１】
請求項７に記載した発明に係る絞り装置は、
前記絞り板の外周の凹部を、任意の絞り設定位置直前において、前記位置決めレバーの前記ボスが該絞り板の最外周から中心に向かって落下し、且つ該絞り板の所定の回転方向とは逆方向の回転に対して、それを阻止するような形状とするとともに、該凹部の最も中心寄り部分は前記ボスの該絞り板の中心に向かう付勢力のバランスを取るため、前記絞り板の中心と前記ボスの中心を結ぶ直線に対して対称に且つ前記絞り板の中心からほぼ放射方向に広がる形状として形成することを特徴としている。
【００２２】
請求項８に記載した発明に係るシャッター装置は、上述した目的を達成するために、
光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り機能を有するシャッター装置を備えた光学像入力システムを具備するディジタルカメラの前記シャッター装置において、
前記光学系の撮影光軸に対して平行に設定された回転中心軸を中心として回転可能に設けられ、且つ該回転中心から前記撮影光軸までの距離を半径とする基準円上にターレット型に配設された径の異なる複数個の絞り開口を有する絞り板と、
前記絞り板を一方向に回転させる爪部材と、
撮影光軸に対し正逆回転可能に設けられ、前記爪部材を一方向のみに回転可能として保持する回転リングと、
１個以上のギヤからなる連結ギヤ群およびモーターからなり、前記回転リングを回転駆動させる回転駆動手段と、
前記絞り板を選択された絞り開口位置で係止する位置決め機構と、
遮光用のシャッター羽根を有し、前記回転リングの初期状態からの前記絞り板を設定する方向への回転途中にて、前記遮光用のシャッター羽根を閉成状態から開放状態に設定し、且つ前記絞り開口の設定完了後、前記初期状態位置に戻る逆方向の回転の途中にて、該遮光用のシャッター羽根を閉成せしめるシャッター機構と、
を具備し、
前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成したことを特徴としている。
【００２３】
請求項９に記載した発明に係るシャッター装置は、
前記回転リングが、前記爪部材を保持する部材と、前記シャッター機構の前記シャッター羽根の開閉を制御する部材とを一体的に形成していることを特徴としている。
【００２４】
請求項１０に記載した発明に係るシャッター装置は、
前記シャッター機構が、
前記シャッター羽根を閉成方向に駆動させるように付勢された開閉レバーと、前記開閉レバーを開放状態で係止するように付勢された係止レバーとを含み、且つ
前記回転リングの初期位置からの回転により、前記回転リングによる前記開閉レバーの押し上げ−前記シャッター羽根の開放−前記係止レバーの落ち込み−前記回転リングの離脱−前記係止レバーによる前記開閉レバーの係止の一連の動作を行い、
また、初期位置ヘ戻る方向での回転により、前記回転リングによる前記係止レバーの蹴飛ばし−前記係止レバーによる前記開閉レバーの係止解除−前記開閉レバーの回転による前記シャッター羽根の閉成の一連の動作を行うことを特徴としている。
【００２５】
請求項１１に記載した発明に係るシャッター装置は、
前記回転リングが、前記初期位置から前記最大回転位置までの間において、前半の領域に前記シャッター機構によるシャッター開閉動作を行うシャッター動作領域を設定し、後半の領域に絞り設定を行う絞り設定領域を設定しており、各領域においては互いに干渉のない動作をなすことを特徴としている。
請求項１２に記載した発明に係るシャッター装置は、
前記シャッター動作領域内においてシャッター開閉動作を繰り返すべく、前記回転リングを駆動して、高速連写撮影を行う手段をさらに含むことを特徴としている。
【００２６】
請求項１３に記載した発明に係るシャッター装置は、
モニタリング時に、前記絞り設定動作領域内において絞り口径の大きさを可変させるべく、前記回転リングを駆動して、モニタリング時の光量の調整を行う手段をさらに含むことを特徴としている。
請求項１４に記載した発明に係るシャッター装置は、
前記シャッター機構が、前記シャッター羽根を２枚含み、該２枚のシャッター羽根が、撮影光軸方向について前記絞り板を挟んで配置されることを特徴としている。
請求項１５に記載した発明に係るシャッター装置は、光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り機能を有するシャッター装置を備えた光学像入力システムを具備するディジタルカメラの前記シャッター装置において、
複数個の絞り開口を有する絞り板と、
前記絞り板とは別部材である遮光用のシャッター羽根と、
前記絞り板を一方向に回転させる爪部材と、
前記爪部材を保持する回転リングと、
前記回転リングを回転駆動させる回転駆動手段と、
前記絞り板を絞り開口位置で係止する位置決め機構を具備し、
前記回転リングは、一定回転角内にて、一方向への回転の初期の領域で前記シャッター羽根を開放状態に設定し、さらに続く後半の領域で、前記爪部材により前記絞り板を回転させ前記位置決め機構で前記絞り板を係止して絞り設定を行い、他方向の回転で前記シャッター羽根の閉成を行うように構成したことを特徴としている。
請求項１６に記載した発明に係るシャッター装置は、前記絞り設定を撮影者が意図した絞り値に設定後、当該絞り値、外界輝度、撮像素子のＩＳＯ感度に応じたシャッター速度で適正露出が得られるように構成したことを特徴としている。
請求項１７に記載した発明に係るシャッター装置は、前記シャッター動作のシャッター速度を撮影者が意図したシャッター速度に設定後、当該シャッター速度、外界輝度、撮像素子のＩＳＯ感度に応じた絞り設定値で適正露出が得られるように構成したことを特徴としている。
【００２７】
【作用】
すなわち、請求項１に記載の発明による絞り装置は、光学系により取り込まれた光学像を電気信号に変換する撮像素子、前記撮像素子で得られる前記電気信号に所定の信号処理を施す信号処理手段、および前記撮像素子への入射光束および電荷蓄積時間を制御することにより露光時間の調節を行う絞り装置を備えた光学像入力システムを具備するディジタルカメラの前記絞り装置において、前記光学系の撮影光軸に対して平行に設定された回転中心軸を中心として回転可能として、該回転中心から前記撮影光軸までの距離を半径とする基準円上にターレット型に配設された径の異なる複数個の絞り開口を有する絞り板を設け、一方向のみに回転可能として、撮影光軸に対し正逆回転可能に設けた回転リングに、前記絞り板を一方向に回転させる爪部材を保持させ、１個以上のギヤからなる連結ギヤ群およびモーターからなる回転駆動手段にて、前記回転リングを回転駆動させ、さらに前記絞り板を選択された絞り開口位置で係止する位置決め機構を設け、前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成してある。
【００２８】
このような構成により、絞り開口形状を円として複数個設定することができるから、確実な絞り性能および高い精度が得られ、また回転駆動手段の単一のモーターにより連結ギヤ群および回転リングを介して絞り板を一方向に作動させた後に、位置決め機構により係止保持するから、各役割機能がシンプルに独立した構成となり、安全確実にシーケンスを遂行することができる。
【００２９】
請求項２に記載の発明による絞り装置は、前記回転リングに保持された爪部材が、前記回転リングの所定方向への回転については、その先端部が該絞り板の張り出し部に係合するように、第１の方向の回転が前記回転リングにより規制され、最大回転位置において絞り設定を完了した後の該回転リングの前記所定方向とは逆方向の回転時には、前記第１の回転方向とは異なる第２の回転方向に回転し、前記絞り板の外周を乗り越えて、該絞り板を設定絞り位置に置き去りにする一方向ラチェット機構を構成する。
【００３０】
このような構成により、前記回転リングに保持された前記爪部材は、前記一方向ラチェット機構を構成しているので、絞り開口設定後の前記回転リングの逆転時には、前記爪部材が前記絞り板の外形に接触しても該爪部材自身が回転して待避するので、前記位置決め機構により固定保持されている前記絞り板には何ら影響がなく、したがって、前記絞り板外形に形成される凹部は各絞り開口の間に中心に向かって入り込ませることができ、結果として、該絞り板の外形を小さくすることができるので、カメラ全体も小型化が可能である。
【００３１】
請求項３に記載の発明による絞り装置は、前記位置決め機構が、前記絞り板の外周に前記各絞り開口位置に対応して形成された凹部、および前記絞り板の略中心方向に向けて付勢され、前記凹部を押圧係止して位置決めする位置決め部材を含んでいる。
このような構成により、前記絞り板の外周に設けられた凹部を前記位置決め部材により、該絞り板の略中心に向かう押圧力で位置決めするので、特別なクリック機構等を用いることなく、簡単な構成で確実に位置決めを行うことができる。
【００３２】
請求項４に記載の発明による絞り装置は、前記位置決め部材を、前記撮影光軸に対して平行に設定された回転中心軸を中心として回転可能な位置決めレバーにより構成し、且つ前記位置決めレバーは、該位置決めレバーの回転軸から放射方向へ延設され前記絞り板を係止するボスを有する第１の張り出し部および前記絞り板の位置検出用の第２の張り出し部が設けられる。
このような構成により、前記位置決め部材を構成する位置決めレバーに、回転軸から放射状に延びた第１の張り出し部を形成して、当該第１の張り出し部に絞り板係止用のボスを設け、さらに当該位置決めレバーに絞り板の位置検出用の第２の張り出し部を設けているので、位置決め部材と位置検出部材が一体化され、シンプルで誤差の無い確実な位置決めおよび位置検出が可能となる。
【００３３】
請求項５に記載の発明による絞り装置は、前記絞り板に、各絞り開口位置に対応して外周に形成される凹部のうちの１個所の特定凹部の形状を他の個所と異ならしめ、前記位置決めレバーの前記ボスが該特定凹部に係合した際における回転角を位置検出用の前記第２の張り出し部の移動量により他の凹部と弁別し得るように設定して、前記複数の絞り開口のうちの特定の１個所を基準位置として検出可能とする。
このような構成により、各絞り開口に対応する前記絞り板の外周の凹部形状は、そのうちの１個所が他と相違しているので、位置決めボスが当該凹部に係合したときは、位置決めレバーの回転角度が他の凹部の場合と異なり、したがって、そのときの位置検出用張り出し部の回転角により、確実にこの凹部を検出することができる。
【００３４】
請求項６に記載の発明による絞り装置は、前記絞り板の第２の張り出し部による基準位置の検出に、光学センサを用いる。
このような構成により、位置検出用張り出し部の回転角の検出に光学センサを用いるので、非接触で位置決めレバーに負荷を与えず、耐久性が高く、しかも高精度の検出が可能となる。
【００３５】
請求項７に記載の発明による絞り装置は、前記絞り板の外周の凹部を、任意の絞り設定位置直前において、前記位置決めレバーの前記ボスが該絞り板の最外周から中心に向かって落下し、且つ該絞り板の所定の回転方向とは逆方向の回転に対して、それを阻止するような形状とするとともに、該凹部の最も中心寄り部分は前記ボスの該絞り板の中心に向かう付勢力のバランスを取るため、前記絞り板の中心と前記ボスの中心を結ぶ直線に対して対称に且つ前記絞り板の中心からほぼ放射方向に広がる形状として形成する。
このような構成により、前記絞り板の凹部形状は、前記位置決めレバーのボスが位置決め時に前記絞り板の中心に向かって落下し且つ絞り板の逆の回転を阻止するような形状であるので、該絞り板の一方向回転を確実に実現し、また前記絞り板中心とボス中心とを結んだ線に対称且つ放射状に広がる形状に形成されているので、該ボスに加えられる中心に向かう附勢力により前記放射状形状部分で絞り板が揺動するように作動させ、凹部形状の最も中心寄り位置で安定静止するので、前記爪部材による絞り板の送り誤差が多少存在しても確実に絞り板を決められた位置に係止させることができる。
【００３６】
請求項８に記載の発明によるシャッター装置は、光学系により取り込まれた光学像を電気信号に変換する撮像素子、前記撮像素子で得られる前記電気信号に所定の信号処理を施す信号処理手段、および前記撮像素子への入射光束および電荷蓄積時間を制御することにより露光時間の調節を行う絞り機能を有するシャッター装置を備えた光学像入力システムを具備するディジタルカメラの前記シャッター装置において、前記光学系の撮影光軸に対して平行に設定された回転中心軸を中心として回転可能として、該回転中心から前記撮影光軸までの距離を半径とする基準円上にターレット型に配設された径の異なる複数個の絞り開口を有する絞り板を設け、一方向のみに回転可能として、撮影光軸に対し正逆回転可能に設けた回転リングに、前記絞り板を一方向に回転させる爪部材を保持させ、１個以上のギヤからなる連結ギヤ群およびモーターからなる回転駆動手段にて、前記回転リングを回転駆動させ、さらに前記絞り板を選択された絞り開口位置で係止する位置決め機構と、遮光用のシャッター羽根を有し、前記回転リングの初期状態からの前記絞り板を設定する方向への回転途中にて、前記遮光用のシャッター羽根を閉成状態から開放状態に設定し、且つ前記絞り開口の設定完了後、前記初期状態位置に戻る逆方向の回転の途中にて、該遮光用のシャッター羽根を閉成せしめるシャッター機構とを設け、前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成してある。
【００３７】
このような構成により、絞り開口の設定と同一の回転リングにて、しかも絞り開口の設定とは別途にシャッターの開閉を制御するので、少ない部材で多機能、省スぺース、および低コストを達成することができる。
【００３８】
請求項９に記載の発明によるシャッター装置は、前記回転リングが、前記爪部材を保持する部材と、前記シャッター機構の前記シャッター羽根の開閉を制御する部材とを一体的に形成している。
このような構成により、回転リングに絞り開口の設定を行う爪部材の保持部とシャッターの開閉を制御する部材とを一体的に構成したので、両機能のタイミングのズレが発生せず、高精度の制御が可能となる。
【００３９】
請求項１０に記載の発明によるシャッター装置は、前記シャッター機構が、前記シャッター羽根を閉成方向に駆動させるように付勢された開閉レバーと、前記開閉レバーを開放状態で係止するように付勢された係止レバーとを含み、且つ前記回転リングの初期位置からの回転により、前記回転リングによる前記開閉レバーの押し上げ−前記シャッター羽根の開放−前記係止レバーの落ち込み−前記回転リングの離脱−前記係止レバーによる前記開閉レバーの係止の一連の動作を行い、また、初期位置ヘ戻る方向での回転により、前記回転リングによる前記係止レバーの蹴飛ばし−前記係止レバーによる前記開閉レバーの係止解除−前記開閉レバーの回転による前記シャッター羽根の閉成の一連の動作を行う。
【００４０】
このような構成により、前記シャッター羽根の開放および閉成動作は、前記回転リングと開閉レバーと係止レバーとの関連において、前記回転リングが初期位置から、第１の方向の回転で開放およびセットを行い、また、初期位置に戻る第２の方向の回転で解除および閉成を行うように構成されているから、単に回転リングの正逆転で一連の開閉動作を遂行でき、特別な係止解除用アクチエータ等を必要としないので、コスト、スぺースおよび信頼性等の点で有利である。
【００４１】
請求項１１に記載の発明によるシャッター装置は、前記回転リングが、前記初期位置から前記最大回転位置までの間において、前半の領域に前記シャッター機構によるシャッター開閉動作を行うシャッター動作領域を設定し、後半の領域に絞り設定を行う絞り設定領域を設定しており、各領域においては互いに干渉のない動作をなす。
このような構成により、前記回転リングの回転領域の前半をシャッターの開閉動作、後半を絞り開口の設定動作とし、各領域においては互いに干渉のない動作となるので、信頼性が高く、またそれぞれの調整も独立に可能であるというメリットがある。
【００４２】
請求項１２に記載の発明によるシャッター装置は、前記シャッター動作領域内においてシャッター開閉動作を繰り返すべく、前記回転リングを駆動して、高速連写撮影を行う。
このような構成により、前記回転リングがシャッター動作領域を往復することで、高速連写が可能となり、撮影機能を拡大することが可能となる。
請求項１３に記載の発明によるシャッター装置は、モニタリング時に、前記絞り設定動作領域内において絞り口径の大きさを可変させるべく、前記回転リングを駆動して、モニタリング時の光量の調整を行う。
このような構成により、前記回転リングが絞り設定動作領域を往復することにより、モニタリング時の光量の調整が可能であり、高輝度時の絞り込み、および低輝度時の絞り開放などにより、プログラム線図上の自由度や、従来散見された高輝度時のスミアなどの不具合を軽減することが可能である。
【００４３】
請求項１４に記載の発明によるシャッター装置は、前記シャッター機構が、前記シャッター羽根を２枚含み、該２枚のシャッター羽根が、撮影光軸方向について前記絞り板を挟んで配置される。
このような構成により、前記絞り板を挟持するようにシャッター羽根２枚が配置されているから、絞り板が中間板の役目をなし、互いに反対方向に移動するシャッター羽根同士が直接接触することがないので、接触摩擦が低減され、シャッター動作のばらつきがなく、高露出精度の可変絞り付きシャッターを達成することができる。
請求項１５に記載の発明によるシャッター装置は、光学系により取り込まれた光学像を電気信号に変換する撮像素子、前記撮像素子で得られる前記電気信号に所定の信号処理を施す信号処理手段および前記撮像素子への入射光束および電荷蓄積時間を制御することにより露光時間の調節を行う絞り機能を有するシャッター装置を備えた光学像入力システムを具備するディジタルカメラの前記シャッター装置において、
複数個の絞り開口を有する絞り板と、
前記絞り板とは別部材である遮光用のシャッター羽根と、
前記絞り板を一方向に回転させる爪部材と、
前記爪部材を保持する回転リングと、
前記回転リングを回転駆動させる回転駆動手段と、
前記絞り板を絞り開口位置で係止する位置決め機構を具備し、
前記回転リングは、一定回転角内にて、一方向への回転の初期の領域で前記シャッター羽根を開放状態に設定し、さらに続く後半の領域で、前記爪部材により前記絞り板を回転させ前記位置決め機構で前記絞り板を係止して絞り設定を行い、他方向の回転で前記シャッター羽根の閉成を行うように構成してある。
このような構成により、絞り開口の設定と同一の回転リングにて、しかも絞り開口の設定とは別途にシャッターの開閉を制御するので、少ない部材で多機能、省スぺース、および低コストを達成することができる。
【００４４】
【発明の実施の形態】
以下、本発明の実施の形態に基づき、図面を参照して本発明の絞り装置およびシャッター装置を詳細に説明する。
図１〜図１１は、本発明の一つの実施の形態に係る絞り機能を有するシャッター装置を搭載した電子カメラの構成を示している。
図１は、本発明に係るシャッター装置を搭載した電子カメラの要部の構成を示す分解斜視図である。図２〜図６は、図１のシャッタ装置の動作をそれぞれ説明するための動作状態を示す模式図である。図１〜図６に示すシャッター装置は、シャッター基板１、ステッピングモーター２、モーター止めねじ３、アイドラギヤ４、回転リング５、爪部材６、軸７、Ｃリング８、付勢ばね９、開閉レバー１０、ばね１１、係止レバー１２、ばね１３、Ｃリング１４、位置決めレバー１５、ばね１６、フォトインタラプタ１７、絞り板１８、シャッター羽根１９、２０、支持板２１、押え板２２、間座２３、２４、および止めねじ２５を備えている。
【００４５】
ステッピングモーター２はモーター止めねじ３によりシャッター基板１にねじ止めされる。アイドラギヤ４は、シャッター基板１に形成されているボス１ａに嵌合し、ステッピングモーター２のシャフトに圧入されているピニオンギヤ２ａと噛み合う。
回転リング５は、放射方向に延びた腕部５ａに、爪部材６が、付勢ばね９と共に、軸７およびＣリング８によって回転自在に保持されている。
開閉レバー１０は、シャッター基板１に圧入されているボス１ｂに嵌合し、ばね１１により反時計方向に付勢されている。係止レバー１２は、同様に、シャッター基板１に圧入されているボス１ｃに嵌合し、ばね１３により反時計方向に付勢されて、脱落防止用のＣリング１４にて係止されている。
【００４６】
位置決め部材である位置決めレバー１５も、同様に、シャッター基板１に圧入されているボス１ｄに嵌合し、ばね１６によって反時計方向に付勢されている。フォトインタラプタ１７は、位置決めレバー１５の回転量に応じて適宜オン／オフ信号を発生させる。
絞り板１８は、シャッター基板１に形成されでいるボス１ｅに嵌合し、爪部材６により、反時計方向に回転させられる。
シャッター羽根１９および２０は、シャッター基板１に形成されているボス１ｆおよび１ｇにそれぞれ嵌合し、開閉レバー１０の一方向に張り出した腕の先端にあるボス１０ａにより、開閉作動させられる。
【００４７】
支持板２１は、絞り板１８、シャッター羽根１９および２０を受け止めるとともに、アイドラ４、回転リング５、開閉レバー１０および位置決めレバー１５の浮き防止も兼ねている。押え板２２は、間座２３および２４を支持板２１との間に介挿し、絞り板１８、シャッター羽根１９および２０を収容する羽根室を形成する。止めねじ２５は、上述した羽根室部分をシャッター基板１に固定する。
絞り板１８には、回転中心から撮影光軸２６までの距離を半径とする基準円上に、ターレット型に径の異なる２つ以上、すなわち本実施の形態では４つ、の絞り開口（例えば、Ｆ２，Ｆ４，Ｆ８，Ｆ１１）が形成されており、爪部材６により、所定の一方向に回転させられるように構成されている。
【００４８】
また、爪部材６は、撮影光軸２６を回転中心として、先に述べた正逆回転可能である回転リング５上に保持されていて、回転リング５の正逆回転により、絞り板１８を一方向に回転させ、絞り開口を順次可変させるように構成されている。さらに、回転リング５の外周に形成されているギヤ部５ｃと噛み合うアイドラギヤ４およびピニオンギヤ２ａを介して、ステッピングモーター２により回転駆動力が与えられている（以上が請求項１に対応する構成である）。
【００４９】
次に図２〜図６に示す関連主要部品の正面図を参照して絞り設定およびシャッター動作について説明する。図２は初期状態、図３はシャッター羽根のセット（チャージ）状態、図４は絞り開口を変更している途中の状態、図５は絞り開口の変更が完了した直後の状態、そして図６は回転リングが逆転して初期位置ヘ戻る途中の状態を示している。
図４において、爪部材６の一方の腕６ｂは、回転リング５に設けられたボス５ｄにより反時計方向の回転を規制されているので、回転リング５の反時計方向の回転では、もう一方の腕６ａの先端で絞り板１８の４個所の張り出し凸部の直線部１８ａを押圧しながら光軸回りを回動する。
【００５０】
図５の状態に至ると絞り板１８が新たな絞り開口に設定されるので、回転リング５は図５の状態から、逆回転を始め、図６の状態に進むが、この時、爪部材６は絞り板１８が位置決めレバー１５により時計方向の回転を規制されている。このため爪部材６は、絞り板１８の張り出し凸部の外周形状１８ｂに沿いながら、付勢ばね９の付勢力に抗して反転して、光軸回りを時計方向に回動することによって、絞り板１８を置き去りにする一方向ラチェット機構を形成する（請求項２に対応する）。
また、図５において、絞り板１８は、外周のこの場合４個所の凹部を位置決めレバー１５の第１の張り出し部に形成されたボス１５ａにて、絞り板１８の中心に向かう図示矢印Ｆで示す力で押圧されることにより、係止されて位置決めされる（請求項３に対応する）。
【００５１】
また、位置決めレバー１５は、異なる放射方向に、絞り板１８の位置検出用の第２の張り出し部１５ｂも有している（請求項４に対応する）。
さらに、絞り板１８の外周の凹部形状のうちの１個所は他と異なっており、位置決めレバー１５のボス１５ａがこの個所を押圧して係合した時には、位置検出用張り出し部１５ｂが他の凹部形状の場合と異なる角度回転することにより、基準位置の検出を可能として構成されている（請求項５に対応する）。
この場合の基準位置の検出手段としては、前記位置検出用張り出し部１５ｂに非接触に対応する光学センサであるフォトインタラプタ１７が用いられる（請求項６に対応する）。
【００５２】
また、図５に仮想線で示す如く、任意の絞り設定時直前で前記位置決めレバーのボス１５ａが絞り板１８の外周から中心に向かって落下し、且つ落下後は絞り板１８の逆回転を防止する形状となっており、また、凹部の最中心寄り形状は絞り板１８の中心とボス１５ａ中心を結んだ線に対し対称且つ放射方向に広がる形状に形成されていて、ボス１５ａの絞り板の中心に向かう力で揺動を繰り返し、最終的に絞り板１８の最も中心寄りの位置に落ち着くようになっている（請求項７に対応する）。
【００５３】
次に、シャッター羽根１９および２０の動作について説明する。まず、図２に示す初期状態では、ステッピングモーター２よりアイドラ４を介してギヤ連結された回転リング５の裏面側に延びたボス５ｇが、係止レバー１２を時計方向に押し上げている。
係止レバー１２は、ばね１３により反時計方向の付勢力が与えられているが、回転リング５は、ステッピングモーター２のディテントトルクにより、初期状態位置、つまりシャッター基板１に形成されたストッパーボス１ｈに回転リング５の先端が当接した状態で保持されているので、ばね１３の付勢力に抗して係止レバー１２を押し上げ、開閉レバー１０との接触を断っている。
また、図に示すストッパー１ｉは、回転リング５が反時計方向の回転をして、係止レバー１２の押し上げを解除した場合に、係止レバー１２が反時計方向に回転するのを規制する。
【００５４】
図３は、シャッター羽根１９および２０のセット状態、すなわちチャージ状態、を示しており、回転途中の回転リング５の一方の張り出し部５ｂの先端のカム面５ｆが開閉レバー１０の一方の腕部の先端凸部１０ｂを押し上げており、開閉レバー１０は時計方向に回転し、したがって、シャッター羽根１９および２０を開放状態にし、同時に係止レバー１２の一方の張り出し部１２ａの先端１２ｂが開閉レバー１０の内側に入り込む。
図４の状態に進むと、回転リング５のカム部５ｆが完全に離れるので、開閉レバー１０はばね１１（図１）により、反時計方向の付勢力が与えられているので、その先端凸部が係止レバー１２の先端１２ｂに当接してセット状態となる。
【００５５】
その後、回転リング５の時計方向の回転で初期状態位置に復帰する途中において、前記シャッター羽根１９および２０のセット工程とは逆に、回転リング５の裏面側に延びたボス５ｇが係止レバー１２の先端１２ｃを蹴飛ばすと、もう一方の先端部１２ａが開閉レバー１０を解除するので、開閉レバー１０は、ばね１１により急速に時計方向に回転して、シャッター羽根１９および２０を閉成せしめ、回転リング５は初期位置に戻って一回の撮影を完了する（請求項８に対応する）。
また、回転リング５には、絞り開口を設定する爪部材６の保持部とシャッターの開閉を制御する部材とが一体的に形成されている（請求項９に対応する）。
【００５６】
ところで、シャッター羽根１９および２０の開放および閉成動作は、回転リング５と開閉レバー１０と係止レバー１２の関係において、図２から図４に至る、回転リング５の初期位置から反時計回りでの回転で開放およびセットを行い、また図４から図２に至る、初期位置に戻る方向の回転で閉成するように構成されている（請求項１０に対応する）
また、図７に示す動作タイミングチャートからも明らかなように、回転リング５は、初期位置２７から最大回転位置２９の間において、待機位置２８を境に、前半の領域ではシャッターの開閉動作を行い、後半の領域では絞り開口の設定動作を行うように構成されており、各領域においては、互いに動作の干渉を生じないように構成されている（請求項１１に対応する）。
【００５７】
図７の動作タイミングチャートにおいては、ステッピングモーター２のパルスステップ（図７に示す「ＳＴＭパルスステップ」）動作に伴い、回転リング５、絞り板１８、位置決めレバー１５、開閉レバー１０、係止レバー１２、シャッター羽根１９および２０の各動作量、並びに露光状況、ＣＣＤ固体撮像素子における奇数フィールド読み出しおよび偶数フィールド読み出しのタイミングが示されている。
電源オフ時の初期位置２７から、ステッピングモーター２により回転リング５が駆動されて待機位置の直前に至ると、開閉レバー１０、シャッター羽根１９および２０が作動して、係止レバー１２により待機位置２８に設定される。
この待機位置２８の状態で、絞り切り替え動作が行われると、ステッピングモーター２により回転リング５がさらに駆動されて、絞り板１８、位置決めレバー１５が作動して、最大回転位置２９において、位置決めレバー１５により絞り板１８が係止されて従前の絞り開口の次の絞り開口に設定される。
【００５８】
この状態から、ステッピングモーター２により回転リング５が逆転駆動されて、待機位置２８に戻る。絞り開口を変更する場合には、待機位置２８からさらに、上述したようなステッピングモーター２による回転リング５の正逆転駆動を繰り返すと、絞り板１８の各絞り開口に順次設定される。
待機位置２８から、ステッピングモーター２により回転リング５を逆転駆動するとともに、露光量に応じたタイミングでＣＣＤ固体撮像素子の露光を開始し、所定位置まで回転リング５が逆転すると、係止レバー１２が作動して、シャッター羽根１９および２０が閉成され、閉成完了後、つまり露光完了後、画像データの奇数フィールドおよび偶数フィールドの読み出しが行われる。
なお、初期位置２７もしくは待機位置２８から回転リング５を再度、最大回転位置２９まで駆動すると、上述と同様に位置決めレバー１５により絞り板１８が係止されて従前の絞り開口の次の絞り開口に設定される。
【００５９】
また、最初に初期位置２７から待機位置２８となった状態で設定されている絞り開口値でそのまま撮影を行う場合には、直ちに回転リング５を逆転駆動するとともに、露光量に応じたタイミングでＣＣＤ固体撮像素子の露光を開始して、撮影を行う。
さらに、回転リング５が初期位置２７から待機位置２８までの間の往復を繰り返すことによりシャッターの開閉を連続的に行うことができるので、これを利用して、高速連写撮影を行うことが可能である（請求項１２に対応する）。
また、回転リング５が待機位置２８から最大回転位置２９までの間を１回または複数回往復することにより、所望の絞り開口を設定し且つ可変することができるから、例えばシャッター動作を伴わないモニタリング時における光量の調整が可能である（請求項１３に対応する）。
【００６０】
図８は、絞り板１８とシャッター羽根１９および２０との関係を光軸２６方向の断面図として示したものである。図８により、絞り板１８はシャッター羽根１９とシャッター羽根２０との間に位置しており、シャッター羽根１９および２０の各先端部１９ａおよび２０ａに接触している（請求項１４に対応する）。
図９は、この実施の形態によるシャッター装置を搭載した電子カメラの通常撮影モードにおける撮影動作のフローチャート、図１０は、プログラム露出制御に用いるプログラム線図、そして図１１は、ブロック図である。
【００６１】
電子カメラの電源がオンとされ、図９に示すフローチャートがスタートすると、ステッピングモータ２を、例えばｍパルス分だけ正転させ、回転リング５を待機位置に達するまで駆動する（ステップＳ１１）（図７参照）。この動作により、シャッタ羽根１９および２０が開放され（ステップＳ１２）、待機状態となる。この状態で、第１回目の測光が行われ（ステップＳ１３）、図１０に示すプログラム線図に従って絞り値の設定が行われる。絞り板１８の絞り値の初期値、すなわち基準位置は、外界つまり被写界の輝度のＬＶ（ライトバリュー）値が１０を超え１２．５未満の状態に対応する最大開口の絞り値Ｆ２から２番目の開口径の絞り値Ｆ４に相当する絞り開口に設定されるものとする。
【００６２】
外界つまり被写界の輝度のＬＶ値が１５．５以上であるか否かが判定され（ステップＳ１４）、ＬＶ値が１５．５以上であれば、各ｎパルスずつのステッピングモーター２の正逆転が２往復行われ、絞り値Ｆ１１に対応する最小絞り開口に設定される（ステップＳ１５）。ステップＳ１４において、ＬＶ値が１５．５未満であると判定された場合には、ＬＶ値が１２．５以上であるか否かが判定され（ステップＳ１６）、ＬＶ値が１２．５以上であれば、各ｎパルスずつのステッピングモーター２の正逆転が３往復行われ、最小開口から２番目の絞り値Ｆ８に対応する絞り開口に設定される（ステップＳ１７）。ステップＳ１６において、ＬＶ値が１２．５未満であると判定された場合には、ＬＶ値が１０以下であるか否かが判定され（ステップＳ１８）、ＬＶ値が１０以下であれば、各ｎパルスずつのステッピングモーター２の正逆転が１往復行われ、最大開口の絞り値Ｆ２に対応する絞り開口に設定される（ステップＳ１９）。
【００６３】
ステップＳ１８において、ＬＶ値が１０を超えていると判定された場合、あるいはステップＳ１５、Ｓ１７またはＳ１９による絞り設定が行われた後は、ズーム動作により、所要の画角に設定される（ステップＳ２０）。
この状態で、レリーズボタンの第１段がオンとなるのを待ち（ステップＳ２１）、第１段がオンとなるとフォーカス動作が行われる（ステップＳ２２）。
次に、この状態で、レリーズボタンの第２段がオンとなるのを待ち（ステップＳ２３）、第２段がオンとなると露光が開始され（ステップＳ２４）、ステッピングモータ２がｍパルスだけ逆転駆動されて（ステップＳ２５）、シャッタ羽根１９および２０が閉成されて（ステップＳ２６）、撮影動作を完了する。
【００６４】
ステップＳ２３において、レリーズボタンの第２段がオンでないと判定されると、再度測光が行われ（ステップＳ２７）、輝度変化の有無が判定されて（ステップＳ２８）、輝度変化がなければ、そのままステップＳ２３に戻って第２段がオンとなるのを待つ。ステップＳ２８において、輝度変化が検出されると、輝度変化量に対応した絞り値に応じて、ステッピングモーター２を正逆転駆動して（ステップＳ２９）、ステップＳ２３に戻って第２段がオンとなるのを待つ。
図１１は、上述のように動作する電子カメラの概略的なブロック図を示している。図１１に示す電子カメラは、レンズ群１０１、絞り／シャッター１０２、レンズ群１０３、ＣＣＤ固体撮像素子１０４、信号処理回路１０５、出力回路１０６、中央処理装置（ＣＰＵ）１１１、ズーム制御回路１１２、絞り／シャッター制御回路１１３、ＣＣＤ制御回路１１４、測光回路１１５およびオートフォーカス（ＡＦ）回路１１６を有する。
【００６５】
レンズ群１０１および１０３は、撮影レンズとなるズームレンズを構成する。絞り／シャッター１０２は、この実施の形態のシャッター装置で構成される。ＣＣＤ固体撮像素子１０４は、レンズ群１０１および１０３により結像された被写体像を電気的な画像信号に変換する。信号処理回路１０５は、ＣＣＤ固体撮像素子１０４から出力される画像信号に所定の信号処理を施す。出力回路１０６は、ビデオ信号の出力、液晶ディスプレイ（ＬＣＤ）への表示・メモリカードへの記録、その他の出力処理を行う。
【００６６】
中央処理装置１１１は、当該電子カメラの動作を制御する。ズーム制御回路１１２は、レンズ群１０１および１０３を駆動して、ズーミング動作を行わせる。絞り／シャッター制御回路１１３は、上述したステッピングモータ２等を駆動して、絞り／シャッター１０２の絞り値およびシャッター動作を制御する。
ＣＣＤ制御回路１１４は、ＣＣＤ固体撮像素子１０４の動作を制御して、露光および画像信号のフィールド読み出し等を制御する。測光回路１１５は、外界すなわち被写界の輝度を測光する。オートフォーカス回路１１６は、被写体距離を測距して、中央処理装置１１１を介してＣＣＤ固体撮像素子１０４、レンズ群１０１および１０３のうちの少なくともいずれかを駆動して、焦点調整を行う。
【００６７】
なお、これらＣＣＤ固体撮像素子１０４、信号処理回路１０５、ズーム制御回路１１２、絞り／シャッター制御回路１１３、ＣＣＤ制御回路１１４、測光回路１１５およびオートフォーカス回路１１６の動作は、中央処理装置１１１により制御される。
なお、本発明は、上述し且つ図面に示す実施の形態にのみ限定されることなく、その要旨を変更しない範囲内で種々変形して実施することができる。
【００６８】
【発明の効果】
以上述べたように、本発明によれば、確実な絞り性能および高い絞り精度を得ることができ、各機能を独立に且つ安定に作動させることが可能な絞り装置およびシャッター装置を提供することができる。
すなわち、請求項１に記載の発明に係る絞り装置によれば、光学系により取り込まれた光学像を電気信号に変換する撮像素子、前記撮像素子で得られる前記電気信号に所定の信号処理を施す信号処理手段、および前記撮像素子への入射光束および電荷蓄積時間を制御することにより露光時間の調節を行う絞り装置を備えた光学像入力システムを具備するディジタルカメラの前記絞り装置において、
前記光学系の撮影光軸に対して平行に設定された回転中心軸を中心として回転可能に設けられ、且つ該回転中心から前記撮影光軸までの距離を半径とする基準円上にターレット型に配設された径の異なる複数個の絞り開口を有する絞り板と、
前記絞り板を一方向に回転させる爪部材と、
撮影光軸に対し正逆回転可能に設けられ、前記爪部材を一方向のみに回転可能として保持する回転リングと、
１個以上のギヤからなる連結ギヤ群およびモーターからなり、前記回転リングを回転駆動させる回転駆動手段と、
前記絞り板を選択された絞り開口位置で係止する位置決め機構と、
を具備し、
前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成したことにより、絞り開口形状を円として複数個設定することができるから、確実な絞り性能および精度が得られ、また回転駆動手段の単一のモーターにより連結ギヤ群および回転リングを介して絞り板を一方向に作動させた後に、位置決め機構により係止保持するから、各役割機能がシンプルに独立した構成となり、安全確実にシーケンスを遂行することができる。
【００６９】
請求項２に記載の発明に係る絞り装置によれば、前記回転リングに保持された爪部材が、前記回転リングの所定方向への回転については、その先端部が該絞り板の張り出し部に係合するように、第１の方向の回転が前記回転リングにより規制され、最大回転位置において絞り設定を完了した後の該回転リングの前記所定方向とは逆方向の回転時には、前記第１の回転方向とは異なる第２の回転方向に回転し、前記絞り板の外周を乗り越えて、該絞り板を設定絞り位置に置き去りにする一方向ラチェット機構を構成することにより、前記回転リングに保持された前記爪部材は、前記一方向ラチェット機構を構成しているので、絞り開口設定後の前記回転リングの逆転時には、前記爪部材が前記絞り板の外形に接触しても該爪部材自身が回転して待避するので、前記位置決め機構により固定保持されている前記絞り板には何ら影響がなく、したがって、前記絞り板外形に形成される凹部は各絞り開口の間に中心に向かって入り込ませることができ、結果として、該絞り板の外形を小さくすることができるので、カメラ全体も小型化が可能である。
【００７０】
請求項３に記載の発明に係る絞り装置によれば、前記位置決め機構が、前記絞り板の外周に前記各絞り開口位置に対応して形成された凹部、および前記絞り板の略中心方向に向けて付勢され、前記凹部を押圧係止して位置決めする位置決め部材を含むことにより、前記絞り板の外周に設けられた凹部を前記位置決め部材により、該絞り板の略中心に向かう押圧力で位置決めするので、特別なクリック機構等を用いることなく、簡単な構成で確実に位置決めを行うことができる。
【００７１】
請求項４に記載の発明に係る絞り装置によれば、前記位置決め部材を、前記撮影光軸に対して平行に設定された回転中心軸を中心として回転可能な位置決めレバーにより構成し、且つ前記位置決めレバーは、該位置決めレバーの回転軸から放射方向へ延設され前記絞り板を係止するボスを有する第１の張り出し部および前記絞り板の位置検出用の第２の張り出し部が設けられることにより、前記位置決め部材を構成する位置決めレバーに、回転軸から放射状に延びた第１の張り出し部を形成して、当該第１の張り出し部に絞り板係止用のボスを設け、さらに当該位置決めレバーに絞り板の位置検出用の第２の張り出し部を設けているので、位置決め部材と位置検出部材が一体化され、シンプルで誤差の無い確実な位置決めおよび位置検出が可能となる。
【００７２】
請求項５に記載の発明に係る絞り装置によれば、前記絞り板に、各絞り開口位置に対応して外周に形成される凹部のうちの１個所の特定凹部の形状を他の個所と異ならしめ、前記位置決めレバーの前記ボスが該特定凹部に係合した際における回転角を位置検出用の前記第２の張り出し部の移動量により他の凹部と弁別し得るように設定して、前記複数の絞り開口のうちの特定の１個所を基準位置として検出可能とする構成により、各絞り開口に対応する前記絞り板の外周の凹部形状は、そのうちの１個所が他と相違しているので、位置決めボスが当該凹部に係合したときは、位置決めレバーの回転角度が他の凹部の場合と異なり、したがって、そのときの位置検出用張り出し部の回転角により、確実にこの凹部を検出することができる。
【００７３】
請求項６に記載の発明に係る絞り装置によれば、前記絞り板の第２の張り出し部による基準位置の検出に、光学センサを用いる構成により、位置検出用張り出し部の回転角の検出に光学センサを用いるので、非接触で位置決めレバーに負荷を与えず、耐久性が高く、しかも高精度の検出が可能となる。
【００７４】
請求項７に記載の発明に係る絞り装置によれば、前記絞り板の外周の凹部を、任意の絞り設定位置直前において、前記位置決めレバーの前記ボスが該絞り板の最外周から中心に向かって落下し、且つ該絞り板の所定の回転方向とは逆方向の回転に対して、それを阻止するような形状とするとともに、該凹部の最も中心寄り部分は前記ボスの該絞り板の中心に向かう付勢力のバランスを取るため、前記絞り板の中心と前記ボスの中心を結ぶ直線に対して対称に且つ前記絞り板の中心からほぼ放射方向に広がる形状として形成することにより、前記絞り板の凹部形状は、前記位置決めレバーのボスが位置決め時に前記絞り板の中心に向かって落下し且つ絞り板の逆の回転を阻止するような形状であるので、該絞り板の一方向回転を確実に実現し、また前記絞り板中心とボス中心とを結んだ線に対称且つ放射状に広がる形状に形成されているので、該ボスに加えられる中心に向かう附勢力により前記放射状形状部分で絞り板が揺動するように作動させ、凹部形状の最も中心寄り位置で安定静止するので、前記爪部材による絞り板の送り誤差が多少存在しても確実に絞り板を決められた位置に係止させることができる。
【００７５】
請求項８に記載の発明に係るシャッター装置によれば、光学系により取り込まれた光学像を電気信号に変換する撮像素子、前記撮像素子で得られる前記電気信号に所定の信号処理を施す信号処理手段、および前記撮像素子への入射光束および電荷蓄積時間を制御することにより露光時間の調節を行う絞り機能を有するシャッター装置を備えた光学像入力システムを具備するディジタルカメラの前記シャッター装置において、前記光学系の撮影光軸に対して平行に設定された回転中心軸を中心として回転可能として、該回転中心から前記撮影光軸までの距離を半径とする基準円上にターレット型に配設された径の異なる複数個の絞り開口を有する絞り板を設け、一方向のみに回転可能として、撮影光軸に対し正逆回転可能に設けた回転リングに、前記絞り板を一方向に回転させる爪部材を保持させ、１個以上のギヤからなる連結ギヤ群およびモーターからなる回転駆動手段にて、前記回転リングを回転駆動させ、さらに前記絞り板を選択された絞り開口位置で係止する位置決め機構と、遮光用のシャッター羽根を有し、前記回転リングの初期状態からの前記絞り板を設定する方向への回転途中にて、前記遮光用のシャッター羽根を閉成状態から開放状態に設定し、且つ前記絞り開口の設定完了後、前記初期状態位置に戻る逆方向の回転の途中にて、該遮光用のシャッター羽根を閉成せしめるシャッター機構とを設け、前記回転リングに設けられた前記爪部材が前記絞り板の張り出し位置に係合することで絞り設定を行い、前記絞り板に設けられた凹部に向けて付勢された前記位置決め機構が前記凹部を押圧係止することで前記絞り板を位置決めするように構成したことにより、絞り開口の設定と同一の回転リングにて、しかも絞り開口の設定とは別途にシャッターの開閉を制御するので、少ない部材で多機能、省スぺース、および低コストを達成することができる。
【００７６】
請求項９に記載の発明に係るシャッター装置によれば、前記回転リングが、前記爪部材を保持する部材と、前記シャッター機構の前記シャッター羽根の開閉を制御する部材とを一体的に形成することにより、回転リングに絞り開口の設定を行う爪部材の保持部とシャッターの開閉を制御する部材とを一体的に構成したので、両機能のタイミングのズレが発生せず、高精度の制御が可能となる。
【００７７】
請求項１０に記載の発明に係るシャッター装置によれば、前記シャッター機構が、前記シャッター羽根を閉成方向に駆動させるように付勢された開閉レバーと、前記開閉レバーを開放状態で係止するように付勢された係止レバーとを含み、且つ前記回転リングの初期位置からの回転により、前記回転リングによる前記開閉レバーの押し上げ−前記シャッター羽根の開放−前記係止レバーの落ち込み−前記回転リングの離脱−前記係止レバーによる前記開閉レバーの係止の一連の動作を行い、また、初期位置ヘ戻る方向での回転により、前記回転リングによる前記係止レバーの蹴飛ばし−前記係止レバーによる前記開閉レバーの係止解除−前記開閉レバーの回転による前記シャッター羽根の閉成の一連の動作を行う構成により、前記シャッター羽根の開放および閉成動作は、前記回転リングと開閉レバーと係止レバーとの関連において、前記回転リングが初期位置から、第１の方向の回転で開放およびセットを行い、また、初期位置に戻る第２の方向の回転で解除および閉成を行うように構成されているから、単に回転リングの正逆転で一連の開閉動作を遂行でき、特別な係止解除用アクチエータ等を必要としないので、コスト、スぺースおよび信頼性等の点で有利である。
【００７８】
請求項１１に記載の発明に係るシャッター装置によれば、前記回転リングが、前記初期位置から前記最大回転位置までの間において、前半の領域に前記シャッター機構によるシャッター開閉動作を行うシャッター動作領域を設定し、後半の領域に絞り設定を行う絞り設定領域を設定しており、各領域においては互いに干渉のない動作をなす構成により、前記回転リングの回転領域の前半をシャッターの開閉動作、後半を絞り開口の設定動作とし、各領域においては互いに干渉のない動作となるので、信頼性が高く、またそれぞれの調整も独立に可能であるというメリットがある。
【００７９】
請求項１２に記載の発明に係るシャッター装置によれば、前記シャッター動作領域内においてシャッター開閉動作を繰り返すべく、前記回転リングを駆動して、高速連写撮影を行う構成により、前記回転リングがシャッター動作領域を往復することで、高速連写が可能となり、撮影機能を拡大することが可能となる。
【００８０】
請求項１３に記載の発明に係るシャッター装置によれば、モニタリング時に、前記絞り設定動作領域内において絞り口径の大きさを可変させるべく、前記回転リングを駆動して、モニタリング時の光量の調整を行う構成により、前記回転リングが絞り設定動作領域を往復することにより、モニタリング時の光量の調整が可能であり、高輝度時の絞り込み、および低輝度時の絞り開放などにより、プログラム線図上の自由度や、従来散見された高輝度時のスミアなどの不具合を軽減することが可能である。
【００８１】
請求項１４に記載の発明に係るシャッター装置によれば、前記シャッター機構が、前記シャッター羽根を２枚含み、該２枚のシャッター羽根が、撮影光軸方向について前記絞り板を挟んで配置される構成により、前記絞り板を挟持するようにシャッター羽根２枚が配置されているから、絞り板が中間板の役目をなし、互いに反対方向に移動するシャッター羽根同士が直接接触することがないので、接触摩擦が低減され、シャッター動作のばらつきがなく、高露出精度の可変絞り付きシャッターを達成することができる。
請求項１５に記載の発明に係るシャッター装置によれば、光学系により取り込まれた光学像を電気信号に変換する撮像素子、前記撮像素子で得られる前記電気信号に所定の信号処理を施す信号処理手段、および前記撮像素子への入射光束および電荷蓄積時間を制御することにより露光時間の調節を行う絞り機能を有するシャッター装置を備えた光学像入力システムを具備するディジタルカメラの前記シャッター装置において、
複数個の絞り開口を有する絞り板と、
前記絞り板とは別部材である遮光用のシャッター羽根と、
前記絞り板を一方向に回転させる爪部材と、
前記爪部材を保持する回転リングと、
前記回転リングを回転駆動させる回転駆動手段と、
前記絞り板を絞り開口位置で係止する位置決め機構を具備し、
前記回転リングは、一定回転角内にて、一方向への回転の初期の領域で前記シャッター羽根を開放状態に設定し、さらに続く後半の領域で、前記爪部材により前記絞り板を回転させ前記位置決め機構で前記絞り板を係止して絞り設定を行い、他方向の回転で前記シャッター羽根の閉成を行うように構成したから、絞り開口の設定と同一の回転リングにて、しかも絞り開口の設定とは別途にシャッターの開閉を制御するので、少ない部材で多機能、省スぺース、および低コストを達成することができる。
【図面の簡単な説明】
【図１】本発明の一つの実施の形態に係るシャッタ装置の要部の構成を示す分解斜視図である。
【図２】図１のシャッタ装置の初期状態における各部の配置および動作状態を示す模式図である。
【図３】図１のシャッタ装置のシャッタ羽根がセットされたチャージ状態における各部の配置および動作状態を示す模式図である。
【図４】図１のシャッタ装置の絞り開口を変更している状態における各部の配置および動作状態を示す模式図である。
【図５】図１のシャッタ装置の絞り開口の変更が完了した状態における各部の配置および動作状態を示す模式図である。
【図６】図１のシャッタ装置の回転リングが逆転して初期位置へ戻る途中の状態における各部の配置および動作状態を示す模式図である。
【図７】図１のシャッタ装置の動作を説明するためのタイミングチャートである。
【図８】図１のシャッタ装置の要部の配置構成を説明するための部分詳細図である。
【図９】  図１のシャッタ装置の露出制御動作を説明するためのフローチャートである。
【図１０】図１のシャッタ装置の露出制御動作を説明するためのプログラム線図である。
【図１１】図１のシャッタ装置を搭載した電子カメラの概略構成を説明するためのブロック図である。
【符号の説明】
１  シャッター基板
２  ステッピングモーター
４  アイドラギヤ
５  回転リング
６  爪部材
９，１４  付勢ばね
１０  開閉レバー
１１，１３，１６  ばね
１２  係止レバー
１５  位置決めレバー
１７  フォトインタラプタ
１８  絞り板
１９，２０  シャッター羽根
２１  支持板
２２  押え板
１０１，１０３  レンズ群
１０２  絞り／シャッター
１０４  ＣＣＤ固体撮像素子
１０５  信号処理回路
１０６  出力回路
１１１  中央処理装置（ＣＰＵ）
１１２  ズーム制御回路
１１３  絞り／シャッター制御回路
１１４  ＣＣＤ制御回路
１１５  測光回路
１１６  オートフォーカス（ＡＦ）回路
【図１】
0003807861.tif 000002
【図２】
0003807861.tif 000003
【図３】
0003807861.tif 000004
【図４】
0003807861.tif 000005
【図５】
0003807861.tif 000006
【図６】
0003807861.tif 000007
【図７】
0003807861.tif 000008
【図８】
0003807861.tif 000009
【図９】
0003807861.tif 000010
【図１０】
0003807861.tif 000011
【図１１】
0003807861.tif 000012